(57)【特許請求の範囲】
【請求項１】
複数のエレクトロルミネッセンスパネル（以下、「ＥＬパネル」という。）を並置した構造を備えるＥＬ表示装置において、
前記並置されたＥＬパネル間に樹脂等からなる縁部材が前記ＥＬパネルの端面に密接配置されており、
前記縁部材に光を照射して該縁部材を発光させる発光手段を備えた
ことを特徴とするＥＬ表示装置。
【請求項２】
請求項１記載のＥＬ表示装置において、
前記縁部材は、前記ＥＬパネルの端面からの発光漏れを防止または低減し得る性状或いは形状を有することを特徴とするＥＬ表示装置。
【請求項３】
請求項１または２記載のＥＬ表示装置において、
樹脂等からなり前記縁部材と協同して前記ＥＬパネルの表示域を区画する区画部材が前記ＥＬパネルの面上に配置されていることを特徴とするＥＬ表示装置。
【請求項４】
請求項３記載のＥＬ表示装置において、
前記縁部材の外観形状と前記区画部材の外観形状とが同様であることを特徴とするＥＬ表示装置。
【請求項５】
請求項３または４記載のＥＬ表示装置において、
前記区画部材に光を照射して該区画部材を発光させる発光手段を備えたことを特徴とするＥＬ表示装置。
【請求項６】
請求項１ないし５のいずれか１項記載のＥＬ表示装置において、
前記発光手段はＬＥＤであることを特徴とするＥＬ表示装置。
【請求項７】
請求項１ないし６のいずれか１項記載のＥＬ表示装置において、
前記ＥＬパネルは、不透明ＥＬパネルもしくは透明ＥＬパネルであることを特徴とするＥＬ表示装置。
【請求項８】
請求項７記載のＥＬ表示装置において、
前記ＥＬパネルは透明ＥＬパネルであり、
該透明ＥＬパネルの背後に配される部材には、透過表示を可能とするための開口部が設けられている
ことを特徴とするＥＬ表示装置。
【発明の詳細な説明】
【０００１】
【発明の属する技術分野】
本発明は、ＥＬパネルを用いたＥＬ表示装置の技術分野に属する。
【０００２】
【従来の技術】
フラットパネルディスプレイのひとつにＥＬ（Electro Luminescence）ディスプレイがある。このＥＬディスプレイに用いられるＥＬ素子（ＥＬパネル）は図２に示すように、ガラス基板１と、その上に真空蒸着、またはスパッタリング等で順次積層された第１電極２、第１絶縁層３、発光層４、第２絶縁層５、第２電極６にて構成される。
【０００３】
前記第１電極２と第２電極６とは互いに直角をなす方向に形成されており、ＩＴＯ（Insium Tin Oxide ）、アルミニウム等からなる。特に両電極２、６をＩＴＯ等の透明電極で形成することにより透明ＥＬパネルを構成することができる。前記発光層４は、例えばＺｎＳ、ＺｎＳｅ等の半導体材料にて形成され、発光中心にＭｎを用いた場合は黄橙色、Ｔｂを用いた場合は緑色、Ｓｍを用いた場合は赤色の発光を生じる。これらは無機の発光材の例であるが、有機の発光材が用いられることもある。また、第１絶縁層３及び第２絶縁層５は、ＴｉＯ2、Ａｌ2Ｏ3、ＳｉＯ2、Ｓｉ3Ｎ4等の誘電体からなる。これら第１電極２〜第２電極６の厚みは、ガラス基板１を除くとおよそ２μｍと非常に薄いものである。
【０００４】
さらに、耐湿保護のために、接着剤７を介してガラス基板１にもう１枚のカバーガラス８を貼り合わせている。
ＥＬパネルは、ＦＰＣ、ＴＡＢテープ、ゴムコネクタ等のコネクタを介して回路基板に接続される。複数枚のＥＬパネルを使用する場合には、ＥＬパネル間については対応する電極をＦＰＣ、ＴＡＢテープ等のコネクタを介して接続することもある。ＥＬパネルの第１電極２及び第２電極６は一方を走査電極、他方を駆動電極として、それぞれ回路基板上のドライバＩＣが接続され、パルス状の走査信号に駆動信号を同期することで発光画素を選択し発光させる。
【０００５】
このようなパッシブマトリックスタイプのＥＬディスプレイにおいて、大画面表示もしくは複数種類の表示を行うと、パネル電極が長くなり必然的に電極の配線抵抗が増大する。そのため、ドライバＩＣから遠い位置にある画素に対して印加信号になまりが生じて輝度が低下する。結果として、ドライバＩＣから近い位置にある画素と、遠い位置にある画素間で輝度むらが生じることとなる。つまり、パッシブマトリックスタイプのＥＬディスプレイにおいては、表示品位を確保できるディスプレイサイズが自ずと制約されてしまう。
【０００６】
上記ディスプレイサイズの問題に対しては、例えば特開２００１−８３９３４号公報に開示されるように、複数のＥＬパネルを組み合わせて大画面化を実現することが考えられるが、ＥＬパネル間において表示領域を制約するような額縁状の部材が必要となってしまう。さらに、この額縁が無い場合には、ＥＬパネルの端面（ガラス端面）からの発光漏れにより、ＥＬパネル間において表示品位が損なわれるおそれがある。
【０００７】
【発明が解決しようとする課題】
本発明は、複数のＥＬパネルを用いて大画面表示もしくは複数種類表示をするＥＬディスプレイにおいて、ＥＬパネル端面からの発光漏れが原因となる表示品位の低下防止を主たる目的としている。
【０００８】
【課題を解決するための手段および発明の効果】
請求項１記載のＥＬ表示装置は、複数のエレクトロルミネッセンスパネル（ＥＬパネル）を並置した構造を備えるＥＬ表示装置において、前記並置されたＥＬパネル間に樹脂等からなる縁部材が前記ＥＬパネルの端面に密接配置されており、前記縁部材に光を照射して該縁部材を発光させる発光手段を備えたことを特徴とする。
【００１３】
請求項１記載のＥＬ表示装置は、並置されたＥＬパネル間に樹脂等からなる縁部材がＥＬパネルの端面に密接配置されているので、ＥＬパネル端面からの発光漏れを縁部材の材質や形状等に応じて光学的に制御できる。光学的に制御するというのは、例えばＥＬパネル端面から漏れ出ようとする光を遮ったり、誘導したり、或いは散乱させる等であり、こうした光学的な制御により、ＥＬパネル端面からの発光漏れが原因となる表示品位の低下を良好に防止できる。
しかも、縁部材に光を照射して該縁部材を発光させる発光手段を備えており、発光手段に由来する光によって縁部材が発光するので、その発光によってＥＬパネルの端面からの発光漏れを目立たなくできる。
また、ＥＬパネルの表示内容に応じて縁部材を発光させたり発光を止めたりすることで、ＥＬパネルの表示効果を高めるための光学的な演出ができる。
【００１４】
請求項２は、その光学的な制御を限定したものであり、請求項１記載のＥＬ表示装置において、前記縁部材は、前記ＥＬパネルの端面からの発光漏れを防止または低減し得る性状或いは形状を有することを特徴とする。
発光漏れを防止または低減し得る性状の例としては透明性や色をあげることができ、形状の例としては光を導入し又は反射するための平滑な表面、光を散乱させる粗面等をあげることができる。このような性状または形状を、単独または組み合わせることにより、発光漏れを防止または低減できる。
【００１５】
縁部材には、ＥＬパネルの表示域を区画する役割を持たせることができる。その場合には、一部をＥＬパネルの面上にまで及ばせるとよい。
ただし、縁部材だけではＥＬパネルの表示域を区画するのに不十分であったり、全体的なバランスがとれないこともある。
【００１６】
そのような場合には、請求項３記載のとおり、請求項１または２記載のＥＬ表示装置において、樹脂等からなり前記縁部材と協同して前記ＥＬパネルの表示域を区画する区画部材が前記ＥＬパネルの面上に配置されている構成、例えば区画部材を縁部材と対称の位置に配置する構成とすれば全体的なバランスがよい。
【００１７】
なお、縁部材及び区画部材に関して「樹脂等からなる」というのは、樹脂だけでなく樹脂に顔料やフィラー等を添加した場合も含む概念である。また、区画部材は、縁部材と同材料としてもよいし異ならせてもよい。
請求項４記載のＥＬ表示装置は、請求項３記載のＥＬ表示装置において、前記縁部材の外観形状と前記区画部材の外観形状とが同様であることを特徴とする。
【００１８】
区画部材は、縁部材と協同してＥＬパネルの表示域を区画するので、見た目（外観形状）は縁部材の外観形状と同様にするのが好ましい。なお、外観形状とはＥＬ表示装置の使用者に見える形状ということであり、縁部材の場合はＥＬパネルの面上に露呈される部分の形状と言える。
【００２１】
さらに、請求項５記載のように、請求項３または４記載のＥＬ表示装置において、前記区画部材に光を照射して該区画部材を発光させる発光手段を備えれば、縁部材と区画部材とでＥＬパネルの表示効果を高めるための光学的な演出ができる。なお、発光手段は縁部材と区画部材とで共通でもよいし各々に備えてもよい。
【００２２】
発光手段（縁部材、区画部材とも）は、電気的に制御できる発光手段であれば特に限定されないが、請求項６記載のＬＥＤが、サイズ、価格、制御性等で優れている。
ＥＬパネルは、例えば図２に示した第１電極２を不透明として表示の背景となる部分が不透明とされている不透明ＥＬパネルでも、表示の背景となる部分が透明な透明ＥＬパネルでも、どちらでもよい。すなわち、請求項７記載のＥＬ表示装置とできる。
【００２３】
透明ＥＬパネルを使用する場合、請求項８記載のように、請求項７記載のＥＬ表示装置において、前記ＥＬパネルは透明ＥＬパネルであり、該透明ＥＬパネルの背後に配される部材には、透過表示を可能とするための開口部が設けられている構成とすれば、透過表示が可能であり、ＥＬ表示装置の背後（開口部が対面する位置）に他の表示装置を配置して重畳表示できる。
【００２４】
【発明の実施の形態】
次に、本発明の実施例及び参考例により発明の実施の形態を説明する。
【００２５】
【参考例１】
第１の参考例を図１に示す。本参考例では、ＥＬパネル９ａ〜９ｂを２枚並べて構成したＥＬ表示装置を車載用ディスプレイ例えばメータアッシ２２の一部とし、ＥＬパネル９ａとＥＬパネル９ｂとでそれぞれ別の情報すなわち複数情報の表示を可能にしている。メータアッシ２２内でのＥＬモジュールの構成を図３に示す。
【００２６】
ＥＬモジュールの構成は以下の通りである。すなわち図３に示すように、ＥＬパネル９ａ〜９ｂ、カバーガラス２３、回路基板１０、コネクタ１１、カバー１２、１３、スペーサ１４からなる。
ＥＬパネル９ａ、９ｂの詳細構造は図２に示すとおり（但し、カバーガラス８はカバーガラス２３に置換）であるので、ここでは説明を省略する。
【００２７】
回路基板１０はプリント配線基板であり、走査ドライバＩＣ１８及び駆動ドライバＩＣ１９やさまざまなディバイス（トランジスタ、ダイオード、抵抗、コンデンサ等、いずれも図示は省略）が実装され、またプリント配線が施され、ＥＬパネル９ａ、９ｂと回路基板１０とを接続するための電極（図示は省略）も設けられている。
【００２８】
回路基板１０とＥＬパネル９ａ、９ｂとの間に挟まれるスペーサ１４には長方形の窓が設けられている。この窓にはカバーガラス２３が緩みなくはめ込まれる。また、窓の３辺に沿って角穴形状のホルダー１５が４個所設けられている。これらのホルダー１５はコネクタ１１を保持するための貫通穴である。
【００２９】
コネクタ１１は図４に示す構造であり、シリコンゴム１６と電極１７とから構成される。電極１７は真鍮からなり、線径は約３０μｍ、シリコンゴム１６への取付ピッチは０．０５ｍｍである。
カバー１２、１３は、長方形の板体であり、それぞれに窓が設けられている。カバー１２の窓のサイズは、並置されているＥＬパネル９ａ〜９ｂの外形よりもわずかに小さく、窓の周部分でＥＬパネル９ａ〜９ｂの外周部を抑えることができる。
【００３０】
ＥＬモジュールは、コネクタ１１をスペーサ１４のホルダー１５に挿入してから、カバー１３、回路基板１０、スペーサ１４、ＥＬパネル９ａ〜９ｂ及びカバー１２を順に重ね、カバー１３、回路基板１０、スペーサ１４及びカバー１２を共通に貫通するボルトで締め付けることにより、組み立てられる。この際に、ボルトによる締め付けでコネクタ１１が圧縮されることで、ＥＬパネル９ａ〜９ｂ及び回路基板１０のそれぞれ対応する電極同士が電気的に接続される。
【００３１】
ＥＬパネル９ａ〜９ｂ及び回路基板１０の電極間に設置され圧縮されたコネクタ１１（要求される圧縮率は１０〜４０％）によりＥＬパネル９ａ〜９ｂと回路基板１０とが電気的に接続されるのであるが、コネクタ１１の電極１７のピッチが非常に狭ピッチであるため、ＥＬパネル９ａ〜９ｂ及び回路基板１０の各電極の幅をコネクタ電極のピッチよりも大きくすれば対応するＥＬパネル９ａ〜９ｂ及び回路基板１０の電極間を確実に接続できる。
【００３２】
このコネクタ１１によるＥＬパネル９ａ〜９ｂと回路基板１０との接続方法によれば、ＥＬパネル９ａ〜９ｂの着脱は容易であり、不具合の生じたＥＬパネルのみ交換することが可能でありリペア性にも優れる。
ＥＬパネル９ａ〜９ｂの並置構造は図５に示す通りである。すなわち、ＥＬパネル９ａ〜９ｂを並置し両パネルに共通のカバーガラス２３との接着によって一体化することで外観上２倍サイズの大型ディスプレイとしている。ＥＬパネル９ａとＥＬパネル９ｂとの間には隙間（本参考例では約１．５ｍｍ）があるが、この隙間には屈折率がガラス（ＥＬパネル９ａ〜９ｂのガラス基板）とほぼ等しい透明樹脂（例えばナガセケムテックス（株）ＸＮ１２３３等）２４が充填されている。
【００３３】
このため、ＥＬパネル９ａ〜９ｂ内で発光した光の一部が端面から放出されても、透明樹脂２４の界面での屈折はほとんど無く、例えばＥＬパネル９ａの端面からの光は透明樹脂２４を通過してＥＬパネル９ｂに入射し外部には漏出しない。したがって、ＥＬパネル９ａ〜９ｂの端面からの発光漏れが原因となる表示品位の低下が良好に防止される。これにより、表示品位を損なうことなく、複数枚のＥＬパネルを並置して外観上１枚の大型ディスプレイとして大画面表示もしくは複数種類表示をすることが可能となる。
【００３４】
さらに本参考例の構成によれば、複数枚のＥＬパネルを組み合わせることで複数情報の表示を可能とする。また輝度むらを生じないようにＥＬパネルの組合せを選択することができる。
【００３５】
【参考例２】
第２の参考例を図６に示す。参考例１と同様に、ＥＬパネル９ａ〜９ｂを２枚並べて構成したＥＬ表示装置を車載用ディスプレイ例えばメータアッシ２２の一部とし、ＥＬパネル９ａとＥＬパネル９ｂとでそれぞれ別の情報すなわち複数情報の表示を可能にしている。
【００３６】
メータアッシ２２内でのＥＬモジュールの構成は図７に示す通りであり、参考例１と同様にＥＬパネル９ａ〜９ｂ、カバーガラス２３、回路基板１０、コネクタ１１、カバー１２、１３、スペーサ１４からなる。ＥＬパネル９ａ〜９ｂ、カバーガラス２３、コネクタ１１、カバー１２、１３及びスペーサ１４は参考例１と同様である。なお、ＥＬパネル９ａ〜９ｂは透明ＥＬパネルである。また、回路基板１０は、カバー１２、１３及びスペーサ１４の各窓に対応する開口部２１が設けられている点で参考例１の回路基板１０とは異なるが、その他は参考例１の回路基板１０と同様である。そして、参考例１と同様に組み立てられる。
【００３７】
本参考例のメータアッシ２２は、透明ＥＬパネル９ａ〜９ｂの背後側に開口部２１が設けられており、その開口部２１がカバー１２、１３及びスペーサ１４の各窓に対応いるので透過表示が可能である。このため、車載用メータにおける既存の表示（例えばスピードメータ、タコメータなど）の手前側に透明ＥＬパネル９ａ〜９ｂを配置して、上記既存の表示と透明ＥＬパネル９ａ〜９ｂの表示とを重畳することで多様な情報の表示が可能となる。透明ＥＬパネル９ａ〜９ｂの具体的な表示例としては、スピードやエンジン回転数のデジタル表示、燃料の残量表示、その他のウォーニング表示などがある。
【００３８】
ＥＬパネル９ａ〜９ｂの構造は参考例１（図５）と同様であるから、参考例１と同様に表示品位を損なわずに大型ディスプレイを実現することが可能である。
【００３９】
【参考例３】
第３の参考例を図８に示す。図８に示すとおり、２枚のＥＬパネル９ａ〜９ｂにより１台のディスプレイを構成している。ＥＬパネル９ａ〜９ｂは参考例１、２と同様であるが、カバーガラス２３ａ、２３ｂはＥＬパネル９ａとＥＬパネル９ｂとに分割されている。なお、ＥＬモジュールとしての構成は参考例２と同様である（図７参照）。
【００４０】
また、本参考例では、ＥＬパネル９ａとＥＬパネル９ｂの間にはＴの字状の断面形状を有する樹脂部品２５（縁部材に該当）がはめ込まれている。
樹脂部品２５は例えばアクリル樹脂製である。樹脂部品２５とＥＬパネル９ａ〜９ｂとは透明な接着剤（例えば参考例１、２で示した透明樹脂）で接着されており、樹脂部品２５とＥＬパネル９ａ〜９ｂの端面とは密着している。樹脂部品２５の頭部をＥＬパネル９ａ〜９ｂの面上に突出させているのは、ＥＬパネル９ａの表示とＥＬパネル９ｂの表示とを区別しやすくするためであり、また樹脂部品２５とＥＬパネル９ａ〜９ｂとの合わせ目を目立たせないためでもある。
【００４１】
ＥＬパネル９ａ〜９ｂの端面間に樹脂部品２５をはめ込んであるので、ＥＬパネル端面からの発光漏れを樹脂部品２５の材質、形状、透明性や色等に応じて光学的に制御できる。
発光漏れを防止または低減し得る透明性や色の選択により、例えば樹脂部品２５を不透明にしてＥＬパネル９ａ〜９ｂの端面から漏れ出ようとする光を遮ったり、透明にして端面からの光を誘導したりできる。また、光を導入し又は反射するための平滑な表面や光を散乱させる粗面等を設けることにより、端面からの光を所望の方向に誘導したり表面から散乱放射することもできる。或いは、透明性や色と表面形状とを組み合わせてもよい。何れにしろ、樹脂部品２５の材質、形状、透明性や色等に応じて光学的に制御できるので、ＥＬパネル９ａ〜９ｂの端面からの発光漏れが原因となる表示品位の低下を良好に防止できる。
【００４２】
なお、樹脂部品２５は、外観上の要求や表示効果により形状や透明性、色などを任意に選択すればよい。形状の例として図８に示す他に、図９に示すように頭部の断面形状を半円形にしたり、図１０に示すように三角形にしたり、様々な形状にできる。
【００４３】
本参考例ではこのような樹脂部品２５をＥＬパネル９ａ〜９ｂの端面間にはめ込んでいるので、例えば特開２００１−８３９３４号公報の実施例に見られるような、複数枚のＥＬパネルからなるディスプレイに比べて、枠となる樹脂部品２５を非常に細くすることが可能であり、外観上ユーザの不快感を低減することが可能である。
【００４４】
【参考例４】
第４の参考例を図１１、１２に示す。これらの図に示すように、２枚のＥＬパネル９ａ〜９ｂにより１台のディスプレイを構成しているが、図１１に良好に示されるように、一方のＥＬパネル９ａは他方のＥＬパネル９ｂのほぼ２倍の横幅である。従って、両パネルの合わせ目はＥＬパネル９ｂ側の端から約１／３の位置にある。このＥＬパネル９ａとＥＬパネル９ｂとのサイズの差を除けば、ＥＬモジュールとしての構成は参考例２と同様である（図７参照）。また、ＥＬパネル９ａとＥＬパネル９ｂの端面間に樹脂部品２５がはめ込まれているのは参考例３と同様である。
【００４５】
この参考例に特徴的なのは、図１２に示すように、ＥＬパネル９ａの中心線付近、つまりＥＬパネル９ａとＥＬパネル９ｂとで構成されるディスプレイ上で樹脂部品２５と対称になる位置に、区画部材に該当する樹脂部品２６が配されている点である。樹脂部品２６は樹脂部品２５と同材質、同色とされ、その形状は
樹脂部品２５の頭部（ＥＬパネル９ａ〜９ｂの面上に出ている部分）と同じである。
【００４６】
樹脂部品２５は、参考例３で説明したとおり、ＥＬパネル９ａ〜９ｂの端面からの発光漏れを材質、形状、透明性や色等に応じて光学的に制御するものであり、その効果も参考例３で述べたとおりである。
一方、樹脂部品２６は、図１２（ｂ）に示すとおりＥＬパネル９ａの面上に接着されているので発光漏れを光学的に制御する働きはしない。
【００４７】
しかし、図１２（ａ）に示されるとおり、２枚のＥＬパネル９ａ〜９ｂで構成される大型ディスプレイの表示面を樹脂部品２５と協同して３区画に区分する働きをしている。
樹脂部品２６は、樹脂部品２５と協同してＥＬパネル９ａ〜９ｂにて構成されるディスプレイの表示域を区画するので、樹脂部品２５だけでは区画するのに不十分な場合でも、ディスプレイの表示域を良好にしかもバランス良く区画できる。これにより、外観が向上しユーザが不快感を感じることもなくなる。
【００４８】
参考例３で説明したとおり枠となる樹脂部品２５を非常に細くすることが可能であり、樹脂部品２６も同様に細くできるから、例えば特開２００１−８３９３４号公報の実施例に見られるような、複数枚のＥＬパネルからなるディスプレイに比べて、枠となる樹脂部品２５、２６を非常に細くすることが可能であり、外観上ユーザの不快感を低減することが可能である。
【００４９】
また、樹脂部品２５をＥＬパネル９ａ〜９ｂの端面間にはめ込むことにより、参考例３と同様の効果が得られる。
樹脂部品２５の頭部の形状は、図１３、１４に例示するとおり参考例３と同様に様々な形状にできる。そして、樹脂部品２６の形状も図１３、１４に例示するとおり半円形や三角形など様々な形状にできる。樹脂部品２６の形状は樹脂部品２５の頭部形状と同じにするとバランスがよいが、用途によっては（例えばＥＬパネル９ａに表示される情報とＥＬパネル９ｂに表示される情報とが異質であったり、片方の重要度が高いような場合には）互いに異ならせることも可能である。
【００５０】
【実施例】
本発明の実施例を図１５に示す。本実施例のＥＬモジュールとしての構成は参考例４と同様であり（図１１参照）、ＥＬパネル９ａ〜９ｂの端面間に樹脂部品２５がはめ込まれ、これと対称になる位置（協同して表示域を３分割する位置）に樹脂部品２６が配置されているのも参考例４と同様である。
【００５１】
本実施例においては、図１２（ｂ）、（ｃ）に示すように、樹脂部品２５、２６の端部付近にそれぞれ発光体２７（本実施例ではＬＥＤ）を配置して、樹脂部品２５、２６を導光板としても機能させている。この構成により、発光体２７から発されて端部から入射した光にて樹脂部品２５、２６を光らせることができる。例えば樹脂部品２５、２６の表面（ユーザから見える面）を磨りガラス状の粗面にして、発光体２７からの光を表面全域から放射させることができる。また、適宜の部分から集中的に光が放出されるようにして、一部だけを光らせることも可能である。
【００５２】
樹脂部品２５、２６を光らせることで、ＥＬパネル９ａ、９ｂの表示効果を高めるための光学的な演出ができる。例えばこのディスプレイをアミューズメント分野等に適用する際に、表示枠（樹脂部品２５、２６）が発光することによりゲーム性を高める演出を行うといった応用が可能になる。
【００５３】
本実施例のＥＬモジュールとしての構成は参考例４と同様であるから、参考例４と同様の効果を有する。
また、樹脂部品２５を発光させることでＥＬパネル９ａ〜９ｂの端面からの発光漏れを目立たなくできる。
【００５４】
以上、実施例に従って、本発明の実施の形態について説明したが、本発明はこれらの実施例に限定されるものではなく、本発明の要旨を逸脱しない範囲でさまざまに実施できることは言うまでもない。
【図面の簡単な説明】
【図１】  参考例１に係る表示装置の概要図である。
【図２】  本発明の実施例及び参考例１〜４に係るＥＬパネルの断面構造の概要図である。
【図３】  参考例１に係るＥＬモジュールの概要図である。
【図４】  本発明の実施例及び参考例１〜４に係るコネクタの概要図である。
【図５】  参考例１に係るＥＬパネルの構造の概要図である。
【図６】  参考例２に係る表示装置の概要図である。
【図７】  参考例２に係るＥＬモジュールの概要図である。
【図８】  参考例３に係るＥＬパネルの構造の概要図である。
【図９】  参考例３に係るＥＬパネルの樹脂部品の概要図である。
【図１０】  参考例３に係るＥＬパネルの樹脂部品の概要図である。
【図１１】  参考例４に係るＥＬモジュールの概要図である。
【図１２】  参考例４に係るＥＬパネルの構造の概要図である。
【図１３】  参考例４に係るＥＬパネルの樹脂部品の概要図である。
【図１４】  参考例４に係るＥＬパネルの樹脂部品の概要図である。
【図１５】  本発明の実施例に係るＥＬパネルの構造の概要図である。
【符号の説明】
１      ガラス基板
２      電極
３      絶縁層
４      発光層
５      絶縁層
６      電極
７      接着剤
８      カバーガラス
９ａ、９ｂ      ＥＬパネル
１０    回路基板
１１    コネクタ
１２    カバー
１３    カバー
１４    スペーサ
１５    ホルダー
２１    開口部
２２    メータアッシ（ＥＬ表示装置）
２３、２３ａ、２３ｂ    カバーガラス
２４    透明樹脂
２５    樹脂部品（縁部材）
２６    樹脂部品（区画部材）
２７    発光体（発光手段）
【図１】
0003815374.tif 000002
【図２】
0003815374.tif 000003
【図３】
0003815374.tif 000004
【図４】
0003815374.tif 000005
【図５】
0003815374.tif 000006
【図６】
0003815374.tif 000007
【図７】
0003815374.tif 000008
【図８】
0003815374.tif 000009
【図９】
0003815374.tif 000010
【図１０】
0003815374.tif 000011
【図１１】
0003815374.tif 000012
【図１２】
0003815374.tif 000013
【図１３】
0003815374.tif 000014
【図１４】
0003815374.tif 000015
【図１５】
0003815374.tif 000016